(57)【要約】【課題】部分点灯動作を行う光源部を備えた画像表示装置において、表示映像での輝度むらや色度むら等を低減して表示画質を向上させることが可能な画像表示装置を提供する。【解決手段】部分点灯部４単位で点灯する光源部１０からの照明光Ｌoutを利用して、液晶表示パネル２において映像信号に基づく映像表示を行う。部分点灯部４単位で点灯する光源部１０からの照明光Ｌoutを光源部１０内の複数の照明光センサ１３により受光し、その受光データＤ１に基づいて各部分点灯部４の発光量を制御する。また、照明光センサ１３の配置により、１つの部分点灯部４からの照明光Ｌoutを２以上の照明光センサ１３により受光する。照明光センサ１３による受光データＤ１の値の信頼性が向上し、これにより照明光センサ１３間での受光特性にばらつきが生じた場合であっても、受光特性のばらつきが抑えられ、部分点灯部４間での発光特性のばらつきも低減され得る。【選択図】図３
2008281673.tif 000002
【特許請求の範囲】
【請求項１】
光を発する照明手段と、
前記照明手段から発せられた光を利用して映像を表示する表示手段と
を備え、
前記照明手段は、
互いに独立して制御可能な複数の部分点灯部を有する光源部と、
前記部分点灯部単位で点灯するように前記光源部を駆動する駆動手段と、
前記部分点灯部単位で点灯する前記光源部からの光を受光する複数の受光素子と、
前記受光素子により受光した光の光量に基づいて前記駆動手段を制御し、各部分点灯部の発光量をそれぞれ制御する制御手段と
を有し、
一の部分点灯部からの光が２以上の受光素子により受光されるように前記受光素子が配置されている
ことを特徴とする画像表示装置。
【請求項２】
前記制御手段は、前記２以上の受光素子間における前記一の部分点灯部からの受光光量同士の比率である受光光量比が初期状態での値を保つように制御する
ことを特徴とする請求項１に記載の画像表示装置。
【請求項３】
前記制御手段は、前記受光光量比が初期状態での値と一致しているのか否かを随時調査すると共に、その調査により現時点での受光光量比が初期状態での値と一致していないと判明した場合には、前記一の部分点灯部に対する２以上の受光素子のうちの少なくとも１つの受光素子による受光光量の値が正常ではないと判断し、その正常ではない受光光量の値を補正することにより、現時点での受光光量比が初期状態での値と一致するように制御する
ことを特徴とする請求項２に記載の画像表示装置。
【請求項４】
前記制御手段は、前記一の部分点灯部に対する２以上の受光素子のうちの少なくとも１つの受光素子を用いた他の部分点灯部での受光光量比を利用して、前記２以上の受光素子のうちの受光光量の値が正常ではない受光素子を判別する
ことを特徴とする請求項３に記載の画像表示装置。
【請求項５】
前記制御手段は、各部分点灯部の発光量が一定に保たれるように制御する
ことを特徴とする請求項１に記載の画像表示装置。
【請求項６】
前記制御手段は、各部分点灯部の点灯期間および発光強度のうちの少なくとも一方を可変とすることにより、各部分点灯部の発光量が一定に保たれるように制御する
ことを特徴とする請求項５に記載の画像表示装置。
【請求項７】
前記一の部分点灯部に対する２以上の受光素子による受光領域の一部が互いに重複するように各受光素子が配置されると共に、この互いに重複した受光領域において、一の部分点灯部からの光が前記２以上の受光素子により受光されるように構成されている
ことを特徴とする請求項１に記載の画像表示装置。
【請求項８】
前記一の部分点灯部に対する２以上の受光素子による受光領域が互いに一致するように各受光素子が配置されると共に、この互いに一致した受光領域において、一の部分点灯部からの光が前記２以上の受光素子により受光されるように構成されている
ことを特徴とする請求項１に記載の画像表示装置。
【請求項９】
前記表示手段が、前記照明手段から発せられた光を映像信号に基づいて変調することにより映像を表示する液晶パネルであり、液晶表示装置として構成されている
ことを特徴とする請求項１に記載の画像表示装置。
【発明の詳細な説明】
【技術分野】
【０００１】
本発明は、互いに独立して制御可能な複数の部分点灯領域を有する光源装置を用いた画像表示装置に関する。
【背景技術】
【０００２】
近年、液晶ＴＶやプラズマディスプレイ（ＰＤＰ：Plasma Display Panel）に代表されるようにディスプレイの薄型化が流れとしてあり、なかでもモバイル用ディスプレイの多くは液晶系であり、忠実な色の再現性が望まれている。また、液晶パネルのバックライトは蛍光管を使ったＣＣＦＬ（Cold Cathode Fluorescent Lamp）タイプが主流であるが、環境的に水銀レスが要求されてきており、ＣＣＦＬに変わる光源として発光ダイオード（ＬＥＤ：Light Emitting Diode）等が有望視されている。
【０００３】
このようなＬＥＤを用いたバックライト装置としては、例えば特許文献１，２に示したようなものが提案されている。特許文献１に示されたＬＥＤバックライト装置は、光源部を複数の部分点灯部に分割して構成すると共に、この部分点灯部単位で独立して点灯動作を行うようにしたものである。一方、特許文献２に示されたＬＥＤバックライト装置は、受光素子によって光源部からの照明光を検出すると共に、この検出値に基づいて光源部の発光量を制御するようにしたものである。
【０００４】
【特許文献１】特開２００１−１４２４０９号公報
【特許文献２】特開２００５−３０２７３７号公報
【発明の開示】
【発明が解決しようとする課題】
【０００５】
ここで、上記特許文献１に示されている部分点灯部単位で点灯可能なＬＥＤバックライト装置では、部分点灯部ごとに発光強度および発光時間が互いに異なるため、発光特性の経時的変化の度合いも、部分点灯部ごとに互いに異なることとなる。したがって、そのままでは時間と共に部分点灯部間での発光特性（発光量）にばらつきが生じ、表示映像において輝度むらや色度むら等が生じてしまうことになる。
【０００６】
したがって、このような部分点灯部単位で点灯可能なＬＥＤバックライト装置においても、上記特許文献２に示されているような受光素子を各部分点灯部に対応して複数個設け、これらの受光素子による照明光の検出値に基づいて各部分点灯部の発光量を制御するということが考えられる。このように構成すれば、発光特性の経時的変化の度合いが部分点灯部間で互いに異なっている場合でも、各部分点灯部の発光量を制御することにより、部分点灯部間での発光特性のばらつきを低減することができると考えられるからである。
【０００７】
ところが、受光素子においても、周囲の環境や経時劣化などにより受光特性に変化が生じ、各受光素子間での受光特性にばらつきが生じてしまうことが考えられる。また、受光素子の受光部に異物が付着するなどの外的要因により、ある受光素子において期待される受光特性を示さなくなってしまうことも考えられる。そしてこのような状況となった場合、各部分点灯部での発光量（輝度）が正常な（最適な）状態であるのにもかかわらず、受光素子での検出値が適切な値ではないという結果から、各部分点灯部の発光量を最適な状態からずらしてしまうことになる。
【０００８】
このように従来の技術では、複数の部分点灯部を用いて部分点灯動作を行う光源装置において、部分点灯部間での発光特性のばらつきを低減するのは困難であり、改善の余地があった。よって、そのような光源装置（光源部）を利用した画像表示装置においても、表示映像での輝度むらや色度むら等を低減して表示画質を向上させるのが困難であり、改善の余地があった。
【０００９】
本発明はかかる問題点に鑑みてなされたもので、その目的は、部分点灯動作を行う光源部を備えた画像表示装置において、表示映像での輝度むらや色度むら等を低減して表示画質を向上させることが可能な画像表示装置を提供することにある。
【課題を解決するための手段】
【００１０】
本発明の画像表示装置は、光を発する照明手段と、この照明手段から発せられた光を利用して映像を表示する表示手段とを備えたものである。ここで、上記照明手段は、互いに独立して制御可能な複数の部分点灯部を有する光源部と、部分点灯部単位で点灯するように光源部を駆動する駆動手段と、部分点灯部単位で点灯する光源部からの光を受光する複数の受光素子と、これら受光素子により受光した光の光量に基づいて駆動手段を制御し、各部分点灯部の発光量をそれぞれ制御する制御手段とを有する。そして、一の部分点灯部からの光が２以上の受光素子により受光されるように受光素子を配置する。
【００１１】
本発明の画像表示装置では、部分点灯部単位で点灯する光源部からの光を利用して、表示手段において映像表示がなされる。また、この部分点灯部単位で点灯する光源部からの光が複数の受光素子により受光され、これら受光素子により受光された光の光量に基づいて、各部分点灯部の発光量がそれぞれ制御される。ここで、受光素子の配置によって一の部分点灯部からの光が２以上の受光素子により受光されるようになっているため、その分だけ受光素子による受光光量値の信頼性が向上し、これにより経時劣化や外的要因等によって受光素子間での受光特性にばらつきが生じた場合であっても、そのような受光特性のばらつきが抑えられ、部分点灯部間での発光特性のばらつきも低減され得る。
【００１２】
本発明の画像表示装置では、上記制御手段が、２以上の受光素子間における一の部分点灯部からの受光光量同士の比率である受光光量比が初期状態での値を保つように制御するようにしてもよい。このように構成した場合、各受光素子から受光光量値自体ではなく、各受光素子からの受光光量同士の比率が保たれるように制御されるため、各受光素子からの受光光量値が経時劣化等により変化した場合であっても、各受光素子間での受光特性のばらつきが抑えられ、部分点灯部間での発光特性のばらつきも低減される。
【００１３】
本発明の画像表示装置では、上記一の部分点灯部に対する２以上の受光素子による受光領域の一部が互いに重複するように各受光素子が配置されると共に、この互いに重複した受光領域において、一の部分点灯部からの光が２以上の受光素子により受光されるようにしてもよい。また、上記一の部分点灯部に対する２以上の受光素子による受光領域が互いに一致するように各受光素子が配置されると共に、この互いに一致した受光領域において、一の部分点灯部からの光が２以上の受光素子により受光されるようにしてもよい。なお、「受光素子による受光領域」とは、その受光素子により得られる受光光量値がある閾値以上の値を示す領域のことを意味する。
【発明の効果】
【００１４】
本発明の画像表示装置によれば、一の部分点灯部からの光を２以上の受光素子によって受光するようにしたので、その分だけ受光素子による受光光量値の信頼性を向上させることができ、これにより経時劣化や外的要因等によって受光素子間での受光特性にばらつきが生じた場合であっても、そのような受光特性のばらつきを抑え、部分点灯部間での発光特性のばらつきも低減し得る。よって、部分点灯動作を行う光源部を備えた画像表示装置において、表示映像での輝度むらや色度むら等を低減して表示画質を向上させることが可能となる。
【発明を実施するための最良の形態】
【００１５】
以下、本発明の実施の形態について、図面を参照して詳細に説明する。
【００１６】
図１は、本発明の一実施の形態に係る画像表示装置（液晶表示装置３）の全体構成を分解斜視図で模式的に表したものである。この液晶表示装置３は、透過光を表示光Ｄoutとして射出するいわゆる透過型の液晶表示装置であり、バックライト装置１と、透過型の液晶表示パネル２とを含んで構成されている。
【００１７】
液晶表示パネル２は、透過型の液晶層２０と、この液晶層２０を挟む一対の基板、すなわちバックライト装置１側の基板であるＴＦＴ（Thin Film Transistor：薄膜トランジスタ）基板２１１およびこれに対向する基板である対向電極基板２２１と、これらＴＦＴ基板２１１および対向電極基板２２１における液晶層２０と反対側にそれぞれ積層された偏光板２１０，２２０とから構成されている。
【００１８】
また、ＴＦＴ基板２１１にはマトリクス状の画素が構成され、各画素にはＴＦＴなどの駆動素子を含む画素電極２１２が形成されている。
【００１９】
バックライト装置１は、複数の色光（この場合、赤色光、緑色光および青色光）を混合して特定の色光（この場合、白色光）である照明光Ｌoutを得る加法混色方式のものであり、複数の赤色ＬＥＤ１Ｒ、緑色ＬＥＤ１Ｇおよび青色ＬＥＤ１Ｂを含む光源部（後述する光源部１０）を有している。
【００２０】
図２および図３は、バックライト装置１における各色ＬＥＤの配置構成の一例を平面図（Ｘ−Ｙ平面図）で表したものである。
【００２１】
図２（Ａ）に示したように、このバックライト装置１では、２組の赤色ＬＥＤ１Ｒ、緑色ＬＥＤ１Ｇおよび青色ＬＥＤ１Ｂによって発光部の単位セル４Ａ，４Ｂがそれぞれ形成され、これら２つの単位セル４Ａ，４Ｂによって発光部の単位ユニットである部分点灯部４が形成されるようになっている。また、各単位セル内および単位セル４Ａ，４Ｂ間では、各色ＬＥＤがそれぞれ直列に接続されている。具体的には、図２（Ｂ）に示したようにして、各色ＬＥＤのアノードとカソードが接続されるようになっている。
【００２２】
このようにして構成された各部分点灯部４は、例えば図３に示したように、光源部１０においてマトリクス状に配置され、後述するように互いに独立して制御可能となっている。また、この光源部１０上には、Ｘ軸方向およびＹ軸方向ともに２つの部分点灯部４おきに部分点灯部４の端部に照明光センサ１３が配置されると共に、そのような配置パターンがＸ軸方向およびＹ軸方向に沿って１つの部分点灯部４おきに互いに違いとなっている。この照明光センサ１３は、部分点灯部４単位で点灯する光源部１０からの照明光Ｌoutを受光して受光信号を得るものであり、一の部分点灯部４からの照明光Ｌoutが２以上の照明光センサ１３により受光されるように（図３の例では、２つの照明光センサにより受光されるように）各照明光センサ１３が配置されている。具体的には、図３に示した光源部１０では、照明光センサ１３による受光領域の一部が互いに重複するように各照明光センサ１３の受光領域が２×２の受光領域となっており（照明光センサ１３を中心としてＸ軸方向に沿って左右にそれぞれ１つの部分点灯部４の領域分、およびＹ軸方向に沿って上下にそれぞれ１つの部分点灯部４の領域分が、各照明光センサ１３の受光領域となっており）、これによりこの互いに重複した受光領域において、一の部分点灯部４からの照明光Ｌoutが２つの照明光センサ１３により受光されるようになっている。より具体的には、例えば図中の照明光センサ１３Ａ〜１３Ｃの受光領域１７Ａ〜１７Ｃでは、受光領域１７Ａ，１７Ｂの一部が互いに重複していることにより、この重複領域において部分点灯部４１からの照明光Ｌoutが２つの照明光センサ１３Ａ，１３Ｂにより受光されると共に、受光領域１７Ｂ，１７Ｃの一部が互いに重複していることにより、この重複領域において部分点灯部４２からの照明光Ｌoutが２つの照明光センサ１３Ｂ，１３Ｃにより受光されるようになっている。
【００２３】
次に、図４を参照して、上述した液晶表示パネル２および光源部１０の駆動および制御部分の構成について詳細に説明する。図４は、液晶表示装置３のブロック構成を表したものである。なお、図４（および後述する図５）において照明光センサ１３は、便宜上、光源部１０の近辺に１つだけ配置されているものとして表している。
【００２４】
図４に示したように、液晶表示パネル２を駆動して映像を表示するための駆動回路は、液晶表示パネル２内の各画素電極２１２へ映像信号に基づく駆動電圧を供給するＸドライバ（データドライバ）５１と、液用表示パネル２内の各画素電極２１２を図示しない走査線に沿って線順次駆動するＹドライバ（ゲートドライバ）５２と、これらＸドライバ５１およびＹドライバ５２を制御するタイミング制御部（タイミング・ジェネレータ）６１と、外部からの映像信号を処理してＲＧＢ信号を生成するＲＧＢプロセス処理部６０（シグナル・ジェネレータ）と、このＲＧＢプロセス処理部６０からのＲＧＢ信号を記憶するフレームメモリである映像メモリ６２とから構成されている。
【００２５】
一方、バックライト装置１の光源部１０が点灯動作を行うための駆動および制御を行う部分は、バックライト駆動部１１と、バックライト制御部１２と、前述の照明光センサ１３と、Ｉ／Ｖ変換部１４と、Ａ／Ｄ変換部１５と、記憶部１６とから構成されている。
【００２６】
Ｉ／Ｖ変換部１４は、照明光センサ１３で得られた受光信号に対してＩ／Ｖ（電流／電圧）変換を施し、アナログの電圧信号である受光データを出力するものである。
【００２７】
Ａ／Ｄ変換部１５は、Ｉ／Ｖ変換部１４から出力される受光データを所定のタイミングでサンプリングすると共にＡ／Ｄ（アナログ／ディジタル）変換を施し、ディジタルの電圧信号である受光データＤ１をバックライト制御部１２へ出力するものである。
【００２８】
記憶部１６は、詳細は後述するが、２以上の照明光センサ間における一の部分点灯部４からの受光データＤ１（受光光量）同士の比率である受光光量比の初期値を記憶しておくメモリである。具体的には、例えば図３に示した光源部を用いて説明すると、部分点灯部４１からの照明光Ｌoutを受光する２つの照明光センサ１３Ａ，１３Ｂ間における受光データＤ１同士の比率である受光光量比の初期値（＝Ｄ１（Ａ１０）／Ｄ１（Ｂ１０））や、部分点灯部４２からの照明光Ｌoutを受光する２つの照明光センサ１３Ｂ，１３Ｃ間における受光データＤ１同士の比率である受光光量比の初期値（＝Ｄ１（Ｂ２０）／Ｄ１（Ｃ２０））など、全ての部分点灯部４に対する受光光量比の初期値を記憶するようになっている。
【００２９】
バックライト制御部１２は、Ａ／Ｄ変換部１５から供給される受光データＤ１、記憶部１６に記憶されている受光光量比の初期値およびタイミング制御部６１から供給される制御信号Ｄ０に基づいて、後述する制御信号Ｄ３（後述する制御信号Ｄ３Ｒ，Ｄ３Ｇ，Ｄ３Ｂ）および図示しない制御信号Ｄ４（後述する制御信号Ｄ４Ｒ，Ｄ４Ｇ，Ｄ４Ｂ）を生成・出力し、バックライト駆動部１１の駆動動作を制御するものである。なお、このバックライト制御部１２の詳細な構成については、後述（図５）する。
【００３０】
バックライト駆動部１１は、バックライト制御部１２から供給される制御信号Ｄ３，Ｄ４、およびタイミング制御部６１から供給される制御信号Ｄ０に基づいて、部分点灯部４単位で点灯動作を行うように光源部１０を駆動するものである。なお、このバックライト駆動部１１の詳細な構成についても、後述（図５）する。
【００３１】
次に、図５を参照して、上述したバックライト駆動部１１およびバックライト制御部１２の詳細構成について説明する。図５は、バックライト駆動部１１およびバックライト制御部１２の詳細構成、ならびに光源部１０、照明光センサ１３、Ｉ／Ｖ変換部１４、Ａ／Ｄ変換部１５および記憶部１６の構成についてブロック図で表したものである。なお、受光データＤ１は、赤色受光データＤ１Ｒと、緑色受光データＤ１Ｇと、青色受光データＤ１Ｂとから構成され、制御信号Ｄ３は、赤色用制御信号Ｄ３Ｒと、緑色用制御信号Ｄ３Ｇと、青色用制御信号Ｄ３Ｂとから構成され、制御信号Ｄ４は、赤色用制御信号Ｄ４Ｒと、緑色用制御信号Ｄ４Ｇと、青色用制御信号Ｄ４Ｂとから構成され、制御信号Ｄ５は、赤色用制御信号Ｄ５Ｒと、緑色用制御信号Ｄ５Ｇと、青色用制御信号Ｄ５Ｂとから構成されているものとする。また、ここでは便宜上、光源部１０内において赤色ＬＥＤ１Ｒ、緑色ＬＥＤ１Ｇおよび青色ＬＥＤ１Ｂが、全て互いに直列接続されたものとして表している。
【００３２】
バックライト駆動部１１は、電源部１１０と、バックライト制御部１２から供給される制御信号Ｄ３（赤色用制御信号Ｄ３Ｒ、緑色用制御信号Ｄ３Ｇおよび青色用制御信号Ｄ３Ｂ）に従って電源部１１０からの電源供給により光源部１０内の赤色ＬＥＤ１Ｒ、緑色ＬＥＤ１Ｇおよび青色ＬＥＤ１Ｂのアノード側へそれぞれ電流ＩＲ，ＩＧ，ＩＢを供給する定電流ドライバ１１１Ｒ，１１１Ｇ，１１１Ｂと、赤色ＬＥＤ１Ｒ、緑色ＬＥＤ１Ｇおよび青色ＬＥＤ１Ｂの各々のカソードと接地との間にそれぞれ接続されたスイッチング素子１１２Ｒ，１１２Ｇ，１１２Ｂと、バックライト制御部１２から供給される制御信号Ｄ４（赤色用制御信号Ｄ４Ｒ、緑色用制御信号Ｄ４Ｇおよび青色用制御信号Ｄ４Ｂ）およびタイミング制御部６１から供給される制御信号Ｄ０に基づいてスイッチング素子１１２Ｒ，１１２Ｇ，１１２Ｂに対する制御信号Ｄ５（パルス信号：赤色用制御信号Ｄ５Ｒ、緑色用制御信号Ｄ５Ｇおよび青色用制御信号Ｄ５Ｂ）を生成・出力し、これらスイッチング素子１１２Ｒ，１１２Ｇ，１１２ＢをそれぞれＰＷＭ制御するＰＷＭドライバ１１３とを有している。
【００３３】
バックライト制御部１２は、光量バランス制御部１２１と、光量制御部１２２とを有している。光量バランス制御部１２１は、Ａ／Ｄ変換部１５から供給される受光データＤ１、記憶部１６に記憶されている受光光量比の初期値およびタイミング制御部から供給される制御信号Ｄ０に基づいて、定電流ドライバ１１１Ｒ，１１１Ｇ，１１１Ｂに対する制御信号Ｄ３（赤色用制御信号Ｄ３Ｒ、緑色用制御信号Ｄ３Ｇおよび青色用制御信号Ｄ３Ｂ）をそれぞれ生成・出力することにより、光源部１０からの照明光Ｌoutの色バランス（白色光のホワイトバランス）が一定に保たれつつ照明光Ｌoutの光量が変化するように制御するものである。また、光量制御部１２２は、Ａ／Ｄ変換部１５から供給される受光データＤ１、記憶部１６に記憶されている受光光量比の初期値およびタイミング制御部から供給される制御信号Ｄ０に基づいて、ＰＷＭドライバ１１３に対する制御信号Ｄ４（赤色用制御信号Ｄ４Ｒ、緑色用制御信号Ｄ４Ｇおよび青色用制御信号Ｄ４Ｂ）を生成・出力することにより、光源部１０からの照明光Ｌoutの光量が変化するように制御するものである。
【００３４】
ここで、バックライト装置１が本発明における「照明手段」の一具体例に対応し、液晶表示パネル２が本発明における「表示手段」および「液晶パネル」の一具体例に対応する。また、バックライト駆動部１１が本発明における「駆動手段」の一具体例に対応し、バックライト制御部１２が本発明における「制御手段」の一具体例に対応し、照明光センサ１３が本発明における「受光素子」の一具体例に対応する。
【００３５】
次に、このような構成からなる本実施の形態の液晶表示装置３の動作について、詳細に説明する。
【００３６】
まず、図１〜図７を参照して、本実施の形態の液晶表示装置３の基本動作について説明する。ここで、図６は、バックライト装置１の光源部１０における点灯動作をタイミング波形図で表したものであり、（Ａ）は赤色ＬＥＤ１Ｒに流れる電流ＩＲを、（Ｂ）は緑色ＬＥＤ１Ｇに流れる電流ＩＧを、（Ｃ）は青色ＬＥＤ１Ｂに流れる電流ＩＢを、それぞれ表している。また、図７は、液晶表示装置３全体の動作の概略をタイミング波形図で表したものであり、（Ａ）はＸドライバ５１から液晶表示パネル２内のある画素電極２１２へ印加される電圧（画素印加電圧、駆動電圧）を、（Ｂ）は液晶分子の応答性（画素電極２１２における実際の電位状態）を、（Ｃ）はＹドライバ５２から液晶表示パネル２内のＴＦＴ素子のゲートへ印加される電圧（画素ゲートパルス）を、それぞれ表している。
【００３７】
このバックライト装置１では、バックライト駆動部１１においてスイッチング素子１１２Ｒ，１１２Ｇ，１１２Ｂがそれぞれオン状態となると、定電流ドライバ１１１Ｒ，１１１Ｇ，１１１Ｂからそれぞれ電流ＩＲ，ＩＧ，ＩＢが光源部１０内の赤色ＬＥＤ１Ｒ、緑色ＬＥＤ１Ｇおよび青色ＬＥＤ１Ｂへ流れ、これによりそれぞれ赤色発光、緑色発光および青色発光がなされ、混色光である照明光Ｌoutが発せられる。
【００３８】
この際、タイミング制御部６１からバックライト駆動部１１へ制御信号Ｄ０が供給され、バックライト駆動部１１内のＰＷＭドライバ１１３からスイッチング素子１１２Ｒ，１１２Ｇ，１１２Ｂへはこの制御信号Ｄ０に基づく制御信号Ｄ５（赤色用制御信号Ｄ５Ｒ、緑色用制御信号Ｄ５Ｇおよび青色用制御信号Ｄ５Ｂ）がそれぞれ供給されるため、これによりスイッチング素子１１２Ｒ，１１２Ｇ，１１２Ｂは、この制御信号Ｄ０に従ったタイミングでオン状態となり、赤色ＬＥＤ１Ｒ、緑色ＬＥＤ１Ｇおよび青色ＬＥＤ１Ｂの点灯期間もこれに同期したものとなる。言い換えると、パルス信号である制御信号Ｄ５を用いた時分割駆動により、赤色ＬＥＤ１Ｒ、緑色ＬＥＤ１Ｇおよび青色ＬＥＤ１ＢがＰＷＭ駆動される（赤色ＬＥＤ１Ｒ、緑色ＬＥＤ１Ｇおよび青色ＬＥＤ１Ｂの点灯期間がそれぞれ可変となるような駆動がなされる）。
【００３９】
また、このとき照明光センサ１３は、光源部１０からの照射光Ｌoutを受光する。具体的には、照明光センサ１３内の図示しないフォトダイオードによって、光源部１０からの照射光Ｌoutが抽出されて照明光Ｌoutの光量に応じた電流が発生し、これにより電流値の受光データがＩ／Ｖ変換部１４へ供給される。また、電流値の受光データは、Ｉ／Ｖ変換部１４によってアナログ電圧値の受光データに変換される。そしてこのアナログ電圧値の受光データは、Ａ／Ｄ変換部１５において所定のタイミングでサンプリングされると共に、ディジタル電圧値の受光データＤ１に変換される。
【００４０】
ここで光源制御部１２では、Ａ／Ｄ変換部１５から供給された受光データＤ１および記憶部１６に記憶されている受光光量比の初期値（詳細は後述）に基づいて、光量バランス制御部１２１から定電流ドライバ１１１Ｒ，１１１Ｇ，１１１Ｂへ制御信号Ｄ３Ｒ，Ｄ３Ｇ，Ｄ３Ｂがそれぞれ供給され、これにより照射光Ｌoutの輝度および色度（色バランス）が一定に保たれるように（各部分点灯部４の発光量が一定に保たれるように）、電流ＩＲ，ＩＧ，ＩＢの大きさΔＩＲ，ΔＩＧ，ΔＩＢ、すなわちＬＥＤ１Ｒ，１Ｇ，１Ｂの発光輝度（発光強度）が調整される（図６（Ａ）〜（Ｃ）参照）。また、光量制御部１２２では、Ａ／Ｄ変換部１５から供給された受光データＤ１および記憶部１６に記憶されている受光光量比の初期値（詳細は後述）に基づいて制御信号Ｄ４（赤色用制御信号Ｄ４Ｒ、緑色用制御信号Ｄ４Ｇおよび青色用制御信号Ｄ４Ｂ）が生成されると共にＰＷＭドライバ１１３へ供給され、これによりスイッチング素子１１２Ｒ，１１２Ｇ，１１２Ｂのオン期間、すなわち各色ＬＥＤ１Ｒ，１Ｇ，１Ｂの点灯期間ΔＴが調整される（図６（Ａ）〜（Ｃ）参照）。このようにして光源部１０からの照明光Ｌoutに基づいて、電流ＩＲ，ＩＧ，ＩＢの大きさΔＩＲ，ΔＩＧ，ΔＩＢ（ＬＥＤ１Ｒ，１Ｇ，１Ｂの発光強度）およびＬＥＤ１Ｒ，１Ｇ，１Ｂの点灯期間のうちの少なくとも一方が制御され、これにより照明光Ｌoutの光量が一定に保たれるように部分点灯部４単位で制御される。
【００４１】
一方、本実施の形態の液晶表示装置３全体では、映像信号に基づいてＸドライバ５１およびＹドライバ５２から出力される画素電極２１２への駆動電圧（画素印加電圧）によって、バックライト装置１の光源部１０からの照明光Ｌoutが液晶層２０で変調され、表示光Ｄoutとして液晶表示パネル２から出力される。このようにしてバックライト装置１が液晶表示装置３のバックライト（液晶用照明装置）として機能し、これにより表示光Ｄoutによる映像表示がなされる。
【００４２】
具体的には、例えば図７（Ｃ）に示したように、Ｙドライバ５２から液晶表示パネル２内の１水平ライン分のＴＦＴ素子のゲートへ画素ゲートパルスが印加され、それと共に図７（Ａ）に示したように、Ｘドライバ５１からその１水平ライン分の画素電極２１２へ、映像信号に基づく画素印加電圧が印加される。このとき、図７（Ｂ）に示したように、画素印加電圧に対して画素電極２１２の実際の電位の応答（液晶の応答）は遅れるため（画素印加電圧がタイミングｔ１１で立ち上がったのに対し、実際の電位はタイミングｔ１２で立ち上がっている）、バックライト装置１では、実際の電位が画素印加電圧と等しくなっているタイミングｔ１２〜ｔ１３の期間内に点灯状態となり、これにより液晶表示装置３において映像信号に基づく映像表示がなされる。なお、図７においてタイミングｔ１１〜ｔ１３の期間が１水平期間（１フレーム期間）に対応し、その後のタイミングｔ１３〜ｔ１５の１水平期間においても、液晶の焼き付き防止等のために画素印加電圧が共通（コモン）電位Ｖcomに対して反転しているのを除き、タイミングｔ１１〜ｔ１３の１水平期間と同様の動作となる。
【００４３】
また、この液晶表示装置３では、ＲＧＢプロセス処理部６０から供給される信号（映像信号に基づく信号）を利用して、タイミング制御部６１からバックライト駆動部１１内のＰＷＭドライバ１１３へ制御信号Ｄ０が供給されるため、光源部１０では、例えば、液晶表示パネル２における映像表示領域のうちの所定の輝度以上の映像表示領域に対応する領域の部分点灯部４のみが点灯するような動作が可能となっている。
【００４４】
次に、図１〜図７に加えて図８を参照して、本発明の特徴的部分の制御動作について、詳細に説明する。図８は、本実施の形態のバックライト装置１における光源部１０の制御動作（バックライト制御部１２による受光データＤ１補正処理）の一例を流れ図で表したものである。なお、以下説明する照明光センサ１３による照明光Ｌoutの受光動作やバックライト制御部１２による受光データＤ１の補正処理は、例えばフレーム期間ごとに行われるものとする。
【００４５】
この補正処理ではまず、赤色ＬＥＤ１Ｒ、緑色ＬＥＤ１Ｇおよび青色ＬＥＤ１Ｂのうちの１色のＬＥＤの点灯が開始する（図８のステップＳ１０１）。すなわち、このバックライト装置１では、１つの補正処理において、各色ＬＥＤごとに（各色ＬＥＤによる単色の照明光Ｌoutに基づく単色の受光データＤ１ごとに）順に補正処理がなされ、これにより各色ＬＥＤごとに各部分点灯部４の発光量の制御が可能となっている。
【００４６】
次に、光源部１０において、赤色ＬＥＤ１Ｒ、緑色ＬＥＤ１Ｇおよび青色ＬＥＤ１Ｂのうちの１色のＬＥＤにより、部分点灯部４単位で順次点灯動作が開始し（ステップＳ１０２）、ある１つの部分点灯部（例えば、図３に示した部分点灯部４１）が点灯すると（ステップＳ１０３）、その部分点灯部からの照明光Ｌoutが、２以上の照明光センサ１３により受光される（ステップＳ１０４）。具体的には、例えば図３に示した部分点灯部４１からの照明光Ｌoutが２つの照明光センサ１３Ａ，１３Ｂにより受光され、これにより照明光センサ１３Ａ，１３Ｂによる受光データＤ１（Ａ１），Ｄ１（Ｂ１）がそれぞれバックライト制御部１２へ供給される
【００４７】
次に、バックライト制御部１２（具体的には、光量バランス制御部１２１および光量制御部１２２）は、これら２以上の照明光センサ１３による受光データＤ１（受光光量）同士の比率である受光光量比が、記憶部１６に記憶されている初期状態での受光光量比の値と等しいか否かを随時調査することにより、その２以上の照明光センサ１３間での受光光量比が初期状態での値を保つように制御する（ステップＳ１０５〜Ｓ１０８）。具体的には、まず、バックライト制御部１２は、記憶部１６に記憶されている初期の受光光量比の値を読み出すと共に、供給された２以上の照明光センサ１３による受光データＤ１を基に現在の受光光量比を算出し（ステップＳ１０５）、算出した現在の受光光量比と読み出した初期の受光光量比との値が一致するのか否かを判断する（ステップＳ１０６）。より具体的には、例えば図３に示した照明光センサ１３Ａ，１３Ｂによる受光データＤ１（Ａ１），Ｄ１（Ｂ１）を基に、部分点灯部４１からの照明光Ｌoutに対する現在の受光光量比（＝Ｄ１（Ａ１）／Ｄ１（Ｂ１））を算出すると共に、この現在の受光光量比と初期の受光光量比（＝Ｄ１（Ａ１０）／Ｄ１（Ｂ１０））とが一致するか否かを判断する。
【００４８】
ここで、現在の受光光量比と初期の受光光量比とが一致していると判断した場合（ステップＳ１０６：Ｙ）には、バックライト制御部１２は、現在の受光データＤ１（受光光量）、例えば受光データＤ１（Ａ１），Ｄ１（Ｂ１）等の補正処理を行う必要がないと判断し、次の処理（後述するステップＳ１０９）へと進む。一方、ステップＳ１０６において、現在の受光光量比と初期の受光光量比とが一致していないと判断した場合（ステップＳ１０６：Ｎ）には、バックライト制御部１２は、１つの部分点灯部４に対する２以上の照明光センサ１３のうちの少なくとも１つの照明光センサ１３（例えば、部分点灯部４１に対する２つの照明光センサ１３Ａ，１３Ｂのうちの少なくとも一方の照明光センサ）による受光データＤ１（例えば、受光データＤ１（Ａ１）または受光データＤ１（Ｂ１））の値が正常ではないと判断する。したがって、次にバックライト制御部１２は、１つの部分点灯部４に対する２以上の照明光センサ１３のうちの少なくとも１つの照明光センサを用いた他の部分点灯部での受光光量比を利用して、これら２以上の照明光センサのうちの受光データＤ１の値が正常ではない照明光センサ（２以上の照明光センサのうちのどれが異常であるのか）を判別する（ステップＳ１０７）。
【００４９】
具体的には、例えば図３に示した光源部１０において、部分点灯部４１からの照明光Ｌoutに対し、２つの照明光センサ１３Ａ，１３Ｂによる現在の受光光量比が（Ｄ１（Ａ１）／Ｄ１（Ｂ１））であると共に初期の受光光量比が（Ｄ１（Ａ１０）／Ｄ１（Ｂ１０））であり、これら２つの照明光センサ１３Ａ，１３Ｂのうちの照明光センサ１３Ｂおよび他の照明光センサ１３Ｃを用いた他の部分点灯部４２での受光光量比において、現在の受光光量比が（Ｄ１（Ｂ２）／Ｄ１（Ｃ２））であると共に初期の受光光量比が（Ｄ１（Ｂ２０）／Ｄ１（Ｃ２０））である場合には、（Ｄ１（Ａ１）／Ｄ１（Ｂ１））≠（Ｄ１（Ａ１０）／Ｄ１（Ｂ１０））かつ（Ｄ１（Ｂ２）／Ｄ１（Ｃ２））＝（Ｄ１（Ｂ２０）／Ｄ１（Ｃ２０））のときには、照明光センサ１３Ａ，１３Ｂのうちの照明光センサ１３Ａによる現在の受光データＤ１（Ａ１）の値が正常ではない（照明光センサ１３Ａが異常である）と判別する一方、（Ｄ１（Ａ１）／Ｄ１（Ｂ１））≠（Ｄ１（Ａ１０）／Ｄ１（Ｂ１０））かつ（Ｄ１（Ｂ２）／Ｄ１（Ｃ２））≠（Ｄ１（Ｂ２０）／Ｄ１（Ｃ２０））のときには、ある瞬間において異常である照明光センサの数が１つである前提条件の下、照明光センサ１３Ｂによる現在の受光データＤ１（Ｂ１）の値が正常ではない（照明光センサ１３Ｂが異常である）と判別する。なお、上記照明光センサ１３Ｃに加えてさらに他の照明光センサ１３Ｄ（図示せず）を用いた他の部分点灯部（図示せず）での受光光量比をも利用して、（Ｄ１（Ａ１）／Ｄ１（Ｂ１））≠（Ｄ１（Ａ１０）／Ｄ１（Ｂ１０））かつ（Ｄ１（Ｂ２）／Ｄ１（Ｃ２））≠（Ｄ１（Ｂ２０）／Ｄ１（Ｃ２０））かつＤ１（Ｃ３）／Ｄ１（Ｄ３）＝Ｄ１（Ｃ３０）／Ｄ１（Ｄ３０）のときに、照明光センサ１３Ｂによる現在の受光データＤ１（Ｂ１）の値が正常ではない（照明光センサ１３Ｂが異常である）と判別するようにしてもよい。
【００５０】
次に、バックライト制御部１２は、ステップＳ１０７において正常ではないと判別された受光データＤ１（異常であると判別された照明光センサ１３による受光データＤ１）の値を補正することにより、現在の受光光量比が初期状態での値と一致するように制御する（ステップＳ１０８）。具体的には、例えば図３に示した光源部１０において、照明光センサ１３Ａ，１３Ｂのうちの照明光センサ１３Ａによる現在の受光データＤ１（Ａ１）が正常ではないと判別された場合には、以下の（１）式により補正処理がなされ、補正後の受光データＤ１’（Ａ１）が算出される一方、照明光センサ１３Ｂによる現在の受光データＤ１（Ｂ１）が正常ではないと判別された場合には、以下の（２）式により補正処理がなされ、補正後の受光データＤ１’（Ｂ１）が算出される。なお、このような補正処理（ステップＳ１０８）の後は、ステップＳ１０９へと進む。
【００５１】
【数１】
2008281673.tif 000003
【００５２】
次に、バックライト制御部１２は、タイミング制御部６１からの制御信号Ｄ０等に基づき、光源部１０内の各部分点灯部４による順次点灯動作が終了したのか否かを判断し（ステップＳ１０９）、まだ終了していないと判断した場合には（ステップＳ１０９：Ｎ）、次にステップＳ１０３へと戻って次の部分点灯部４が点灯することになる。一方、ステップＳ１０９において、光源部１０内の各部分点灯部４による順次点灯動作が終了したと判断した場合には（ステップＳ１０９：Ｙ）、次にバックライト制御部１２は、タイミング制御部６１からの制御信号Ｄ０等に基づき、赤色ＬＥＤ１Ｒ、緑色ＬＥＤ１Ｇおよび青色ＬＥＤ１Ｂの全ての色のＬＥＤの点灯が終了したのか否か（全ての色のＬＥＤからの照明光Ｌoutに基づく受光データＤ１の補正処理が完了したのか否か）を判断する（ステップＳ１１０）。
【００５３】
ステップＳ１１０において、赤色ＬＥＤ１Ｒ、緑色ＬＥＤ１Ｇおよび青色ＬＥＤ１Ｂの全ての色のＬＥＤの点灯が終了していないと判断した場合には（ステップＳ１１０：Ｎ）、次にステップＳ１０１へと戻って次の色のＬＥＤの点灯を開始する（次の色のＬＥＤからの照明光Ｌoutに基づく受光データＤ１の補正処理を開始する）。一方、ステップＳ１１０において、赤色ＬＥＤ１Ｒ、緑色ＬＥＤ１Ｇおよび青色ＬＥＤ１Ｂの全ての色のＬＥＤの点灯が終了したと判断した場合には（ステップＳ１１０：Ｙ）、全体の処理が終了となる。そしてこのような補正処理後の受光データＤ１’に基づき、バックライト制御部１２により前述したバックライト駆動部１１および光源部１０に対する制御動作がなされる。
【００５４】
このようにして本実施の形態では、部分点灯部４単位で点灯する光源部１０からの照明光Ｌoutを利用して、液晶表示パネル２において映像信号に基づく映像表示がなされる。また、この部分点灯部４単位で点灯する光源部１０からの照明光Ｌoutが光源部１０内の複数の照明光センサ１３により受光され、これら照明光センサ１３により受光された光の光量（受光データＤ１）に基づいて、各部分点灯部４の発光量がそれぞれ制御される。ここで、本実施の形態では照明光センサ１３の配置によって１つの部分点灯部４からの照明光Ｌoutが２以上の照明光センサ１３により受光されるようになっているため、その分だけ照明光センサ１３による受光データＤ１の値（受光光量値）の信頼性が向上し、これにより経時劣化や外的要因等によって照明光センサ１３間での受光特性にばらつきが生じた場合であっても、そのような受光特性のばらつきが抑えられ、部分点灯部４間での発光特性のばらつきも低減され得る。よって、部分点灯動作を行う光源部を備えた画像表示装置において、表示映像での輝度むらや色度むら等を低減して表示画質を向上させることが可能となる。
【００５５】
具体的には、１つの部分点灯部４に対する２以上の照明光センサ１３による受光領域の一部が互いに重複するように各照明光センサ１３を配置したので、この互いに重複した受光領域において、１つの部分点灯部４からの照明光Ｌoutが２以上の照明光センサ１３により受光されるようにすることができる。
【００５６】
また、バックライト制御部１２によって、２以上の照明光センサ１３間における１つの部分点灯部４からの受光データＤ１同士の比率である受光光量比が初期状態での値を保つような制御を行うようにしたので、各照明光センサ１３から受光データＤ１自体ではなく、各照明光センサ１３からの受光データＤ１同士の比率が保たれるように制御されるため、各照明光センサ１３からの受光データＤ１の値が経時劣化等により変化した場合であっても、各照明光センサ１３間での受光特性のばらつきを抑え、部分点灯部４間での発光特性のばらつきも低減することができる。
【００５７】
また、バックライト制御部１２によって、上記受光光量比が初期状態での値と一致しているのか否かを随時調査すると共に、その調査により現在の受光光量比が初期状態での値と一致していないと判明した場合には、１つの部分点灯部４に対する２以上の照明光センサ１３のうちの少なくとも１つの照明光センサによる受光データＤ１の値が正常ではないと判断し、その正常ではない受光データＤ１の値を補正することによって現在の受光光量比が初期状態での値と一致するようにしたので、上記のように各照明光センサ１３からの受光データＤ１同士の比率が保たれるように制御することが可能となる。
【００５８】
また、バックライト制御部１２によって、１つの部分点灯部４に対する２以上の照明光センサ１３のうちの少なくとも１つの照明光センサを用いた他の部分点灯部での受光光量比を利用して、２以上の照明光センサ１３のうちの受光データＤ１の値が正常ではない照明光センサを判別するようにしたので、上記のように受光データＤ１の補正処理を行うことが可能となる。
【００５９】
さらに、バックライト制御部１２によって、補正処理後の受光データＤ１’に基づき、各部分点灯部４の点灯期間ΔＴおよび発光強度（発光輝度）ΔＩＲ，ΔＩＧ，ΔＩＢのうちの少なくとも一方を可変とし、これにより各部分点灯部４の発光量が一定に保たれるような制御を行うようにしたので、点灯期間ΔＴおよび発光強度（発光輝度）ΔＩＲ，ΔＩＧ，ΔＩＢという２つのパラメータを利用して各部分点灯部４の発行量の制御を行うことができ、制御の自由度を向上させることが可能となる。
【００６０】
以上、実施の形態を挙げて本発明を説明したが、本発明はこの実施の形態に限定されるものではなく、種々の変形が可能である。
【００６１】
例えば、上記実施の形態では、１つの部分点灯部４からの照明光Ｌoutを２つの照明光センサ１３により受光する場合について説明したが、各照明光Ｌoutを受光する照明光センサ１３の数はこれには限られず、例えば図９に示した光源部１０Ａのように、各部分点灯部４の四隅に照明光センサ１３を配置することにより、１つの部分点灯部４からの照明光Ｌoutを４つの照明光センサ１３により受光するようにしてもよい。具体的には、例えば図９に示したように、１つの部分点灯部４３からの照明光Ｌoutを、その四隅にある４つの照明光センサ１３Ａ，１３Ｂ，１３Ｄ，１３Ｅにより受光するようにしてもよい。このように構成した場合、各照明光センサ１３による受光領域の重複度を高めてより多くの照明光センサ１３からの受光データＤ１に基づいて補正処理および光源部１０の制御処理を行うことができるため、上記実施の形態における効果に加え、部分点灯部４間での発光特性のばらつきをより低減することができ、表示映像での輝度むらや色度むら等をより低減して表示画質をより向上させることが可能となる。
【００６２】
また、上記実施の形態では、各照明光センサ１３の受光領域が２×２の受光領域である場合について説明したが、１つの部分点灯部４からの照明光Ｌoutを２以上の照明光センサ１３により受光することができるのであれば、受光領域の大きさや形状、ならびに各照明光センサ１３の配置は自由に設定することが可能である。具体的には、例えば図１０に示した光源部１０Ｂでは、各照明光センサ１３の受光領域を４×４の受光領域（例えば、照明光センサ１３Ｂの受光領域１７Ｂ１）とすると共に、例えば符号Ｐ１で示した領域内の各部分点灯部４からの照明光Ｌoutを、それぞれ４つの照明光センサ１３Ｂ，１３Ｆ，１３Ｇ，１３Ｈにより受光するようになっている。このように構成した場合、受光領域の重複度を高めることができると共に、照明光センサ１３の数を減して部品コストを低減することも可能となる。また、例えば図１１に示した光源部１０Ｃでは、各照明光センサ１３の受光領域を４×２の受光領域（例えば、照明光センサ１３Ｂの受光領域１７Ｂ２）とすると共に、例えば部分点灯部４４からの照明光Ｌoutを、４つの照明光センサ１３Ａ，１３Ｂ，１３Ｈ，１３Ｉにより受光するようになっている。このように、２以上の照明光センサ１３から受光対象の部分点灯部４までの距離が互いに一致していない場合であっても、バックライト制御部１２では、各照明光センサ１３による受光データＤ１の比率である受光光量比が初期状態での値を保つように制御しているため、上記実施の形態と同様の効果を得ることができる。
【００６３】
また、上記実施の形態では、１つの部分点灯部４に対する２以上の照明光センサ１３による受光領域の一部が互いに重複するように各照明光センサ１３を配置した場合について説明したが、例えば図１２に示した光源部１０Ｄのように、１つの部分点灯部４に対する２以上の照明光センサ１３による受光領域が互いに一致するように（例えば、ほぼ同一の位置に配置された２つの照明光センサ１３Ａ１，１３Ａ２による受光領域１７Ａ１，１７Ａ２）各照明光センサ１３を配置し、これによりこの互いに一致した受光領域（例えば、受光領域１７Ａ１，１７Ａ２）において、１つの部分点灯部（例えば、受光領域１７Ａ１，１７Ａ２内の４つの部分点灯部）からの照明光Ｌoutが２以上の受光素子（例えば、２つの照明光センサ１３Ａ１，１３Ａ２）により受光されるようにしてもよい。
【００６４】
また、上記実施の形態では、２以上の照明光センサ１３間における１つの部分点灯部４からの受光データＤ１（受光光量）同士の比率である受光光量比が初期状態での値を保つようにバックライト制御部１２が制御する場合について説明したが、そのような受光光量比ではなく、各照明光センサ１３による受光データＤ１の絶対値自体が初期状態での値を保つようにバックライト制御部１２が制御するようにしてもよい。
【００６５】
また、上記実施の形態で説明したような照明光センサ１３による照明光Ｌoutの受光動作やバックライト制御部１２による受光データＤ１の補正処理は、フレーム期間ごとに行う場合には限られず、例えば複数フレーム期間内に１回のみ行ったり、所定のタイミング（例えば、画像表示装置の電源がオン状態となったタイミングなど）のときにのみ行うなど、動作や処理を間引いて行うようにしてもよい
【００６６】
また、上記実施の形態では、光源部１０が赤色ＬＥＤ１Ｒ、緑色ＬＥＤ１Ｇおよび青色ＬＥＤ１Ｂから構成されている場合で説明したが、これらに加えて（またはこれらに代えて）、他の色光を発するＬＥＤを含んで構成するようにしてもよい。４色以上の色光によって構成した場合、色再現範囲を拡大し、より多彩な色を表現することが可能となる。
【００６７】
また、上記実施の形態では、光源部１０が複数の赤色ＬＥＤ１Ｒ、緑色ＬＥＤ１Ｇおよび青色ＬＥＤ１Ｂを含むようにし、複数の色光（赤色光、緑色光および青色光）を混合して特定の色光（白色光）である照明光Ｌoutを得る加法混色方式のバックライト装置１について説明したが、１種類のＬＥＤによって光源部を構成し、単色の照明光を発するバックライト装置としてもよい。このように構成した場合でも、照明光の輝度の変動について、簡易な構成でより低減することが可能である。
【００６８】
また、上記実施の形態では、液晶表示装置３がバックライト装置１を含む透過型の液晶表示装置である場合について説明したが、本発明の光源装置によってフロントライト装置を構成し、反射型の液晶表示装置としてもよい。
【００６９】
さらに、上記実施の形態では、表示手段の一具体例としての液晶表示パネル２を備えた画像表示装置（液晶表示装置３）について説明したが、本発明は、例えば、所定の静止画をなす画像付きのフィルム等を表示手段として備えた画像表示装置（例えば、広告用の看板等）にも適用することが可能である。
【図面の簡単な説明】
【００７０】
【図１】本発明の一実施の形態に係る画像表示装置（液晶表示装置）の全体構成を表す分解斜視図である。
【図２】図１に示したバックライト装置内の光源部の単位ユニット（部分点灯部）の構成例を表す平面模式図である。
【図３】図２における光源部内の部分点灯部と照明光センサとの配置構成例および各照明光センサの検出領域を表す平面模式図である。
【図４】図１に示した液晶表示装置の全体構成を表すブロック図である。
【図５】図４に示した光源部の駆動および制御部分の構成を詳細に表したブロック図である。
【図６】光源部の駆動パルス信号について説明するためのタイミング波形図である。
【図７】図１に示した液晶表示パネルおよびバックライト装置の駆動方法の一例について説明するためのタイミング波形図である。
【図８】本発明の一実施の形態に係る受光データの補正処理の一例を表す流れ図である。
【図９】本発明の変形例に係る光源部内の部分点灯部と照明光センサとの配置構成および各照明光センサの検出領域を表す平面模式図である。
【図１０】本発明の他の変形例に係る光源部内の部分点灯部と照明光センサとの配置構成および各照明光センサの検出領域を表す平面模式図である。
【図１１】本発明の他の変形例に係る光源部内の部分点灯部と照明光センサとの配置構成および各照明光センサの検出領域を表す平面模式図である。
【図１２】本発明の他の変形例に係る光源部内の部分点灯部と照明光センサとの配置構成および各照明光センサの検出領域を表す平面模式図である。
【符号の説明】
【００７１】
１…バックライト装置、１Ｒ…赤色ＬＥＤ、１Ｇ…緑色ＬＥＤ、１Ｂ…青色ＬＥＤ、１０，１０Ａ〜１０Ｄ…光源部、１１…バックライト駆動部、１１０…電源部、１１１Ｒ，１１１Ｇ，１１１Ｂ…定電流ドライバ、１１２Ｒ，１１２Ｇ，１１２Ｂ…スイッチング素子、１１３…ＰＷＭドライバ、１２…バックライト制御部、１２１…光量制御部、１２２…光量バランス制御部、１３，１３Ａ，１３Ａ１，１３Ａ２，１３Ｂ〜１３Ｉ…照明光センサ、１４…Ｉ／Ｖ変換部、１５…Ａ／Ｄ変換部、１６…記憶部、１７Ａ，１７Ａ１，１７Ａ２，１７Ｂ，１７Ｂ１，１７Ｂ２，１７Ｃ…検出領域、２…液晶表示パネル、２０…液晶層、２１０，２２０…偏光板、２１１…ＴＦＴ基板、２１２…画素電極、２２１…対向電極基板、３…液晶表示装置、４，４１〜４４…単位ユニット（部分点灯部）、４Ａ，４Ｂ…単位セル、５１…Ｘドライバ、５２…Ｙドライバ、６０…ＲＧＢプロセス処理部、６１…タイミング制御部、６２…映像メモリ、Ｌout…照明光、Ｄout…表示光、ＣＦＲ，ＣＦＧ，ＣＦＢ…カラーフィルタ、Ｄ０，Ｄ３（Ｄ３Ｒ，Ｄ３Ｇ，Ｄ３Ｂ），Ｄ４（Ｄ４Ｒ，Ｄ４Ｇ，Ｄ４Ｂ），Ｄ５（Ｄ５Ｒ，Ｄ５Ｇ，Ｄ５Ｂ）…制御データ、Ｄ１…受光データ、ＩＲ，ＩＧ，ＩＢ…電流、Ｖcom…共通（コモン）電位、ｔ１〜ｔ３，ｔ１１〜ｔ１５…タイミング、ΔＴ…パルス幅、ΔＩＲ，ΔＩＧ，ΔＩＢ…電流値（パルスの高さ）。
【図１】
2008281673.tif 000004
【図２】
2008281673.tif 000005
【図３】
2008281673.tif 000006
【図４】
2008281673.tif 000007
【図５】
2008281673.tif 000008
【図６】
2008281673.tif 000009
【図７】
2008281673.tif 000010
【図８】
2008281673.tif 000011
【図９】
2008281673.tif 000012
【図１０】
2008281673.tif 000013
【図１１】
2008281673.tif 000014
【図１２】
2008281673.tif 000015